(57)【要約】  【課題】ねじを使用することなく安定的に底板を什器本体に取り付けられるようにする。  【解決手段】什器本体１に、底板３の後端部の少なくとも一部を差し入れる凹溝８１を形成した後支持体８と、底板３の下向面に当接して底板３を下方より支持する下支持体と、下向面を下支持部に当接させた底板３の前端部の少なくとも一部を係止する前支持体９とを設けた取付構造とした。  【選択図】図４
2006266342.tif 000002
【特許請求の範囲】
【請求項１】
什器の内部空間に配設すべき底板を什器本体に取り付けるために用いられる構造であって、
前記什器本体に、
前記底板の後端部の少なくとも一部を差し入れる凹溝を形成した後支持体と、
前記底板の下向面に当接して底板を下方より支持する下支持体と、
前記下向面を前記下支持部に当接させた状態で前記底板の前端部の少なくとも一部を係止する前支持体と
を設けてなる底板の取付構造。
【請求項２】
さらに、前記内部空間の側方を遮蔽する内側板の下向面を、前記底板の側端部における上向面に当接させている請求項１記載の底板の取付構造。
【請求項３】
前記内側板の下向面より下方に垂下した垂下部の内側面を、前記底板の外側面に当接させている請求項２記載の底板の取付構造。
【請求項４】
前記前支持体は、前記底板の前端縁に当接または近接する直立部と、直立部の上端より屈曲して後方に延出する係止部とを備えており、
前記底板の前端部における上面側を切り欠いて形成した欠損部に前記係止部を係合させることで底板の前端部を上方より押さえるものとし、
かつ、このときに係止部の上面と底板の上面とが略面一となるように構成している請求項１、２または３記載の底板の取付構造。
【請求項５】
前記前支持体は、その直立部の下端より前方に進出する接合部を備えており、この接合部をねじを使用して前記什器本体に締結するものとし、
かつ、着脱自在のカバー部材を前記前支持体に装着して前記ねじを隠蔽するように構成している請求項４記載の底板の取付構造。
【請求項６】
前記前支持体の係止部と前記底板の前端部とのうち一方に上下方向に突出する突条を形成し、他方に前記突条と凹凸係合する凹条を形成している請求項４または５記載の底板の取付構造。
【請求項７】
前記前支持体は、その直立部の所定位置より後方に突出する引掛片を備えており、この引掛片を他の部材に係合させることで前支持体の前方への傾倒を抑止するものとしている請求項４、５または６記載の底板の取付構造。
【請求項８】
前記後支持体の凹溝と前記底板の後端部とのうち一方に上下方向に突出する突条を形成し、他方に前記突条と凹凸係合する凹条を形成している請求項１、２、３、４、５、６または７記載の底板の取付構造。
【請求項９】
前記底板の下面側に無線アンテナを設置している請求項１、２、３、４、５、６、７または８記載の底板の取付構造。
【請求項１０】
前記底板が非磁性体である請求項９記載の底板の取付構造。
【請求項１１】
前記底板が樹脂を素材として作製されたものである請求項１０記載の底板の取付構造。
【請求項１２】
請求項１、２、３、４、５、６、７、８、９、１０または１１記載の底板の取付構造を用いてなるものであって、
什器本体に、
底板の後端部の少なくとも一部を差し入れる凹溝を形成した後支持体と、
前記底板の下向面に当接して底板を下方より支持する下支持体と、
前記下向面を前記下支持部に当接させた状態で前記底板の前端部の少なくとも一部を係止する前支持体と
を設けて、什器の内部空間に配設すべき底板を什器本体に取り付けるようにした什器。
【発明の詳細な説明】
【技術分野】
【０００１】
本発明は、什器本体に底板を取り付けるための構造に関する。
【背景技術】
【０００２】
什器の内部空間に配設すべき底板を什器本体に取り付ける際には、予め底板の所要部位にねじ穴を形成しておき、このねじ穴に螺着されるねじによって底板を什器本体に対し固定することが通例である（例えば、下記特許文献を参照）。
【特許文献１】特開２００３−１４４２３５号公報（図２６）
【発明の開示】
【発明が解決しようとする課題】
【０００３】
昨今、ＲＦＩＤ（Ｒａｄｉｏ  Ｆｒｅｑｕｅｎｃｙ  ＩＤｅｎｔｉｆｉｃａｔｉｏｎ）技術の一般用途への適用が進みつつある。各種物品にＲＦＩＤタグを貼付し、かつ什器にＲＦＩＤリーダを装備すれば、これらタグとリーダとの無線交信を通じて現在どの物品が什器内に収納されているのかを調査でき、ユーザの利便性に大きく寄与することとなる。
【０００４】
収納物品に貼付されたタグに記憶されているデータを読み取るためのアンテナを什器内に設置する場合、その設置位置は底板の下面側または底板内部とすることが好ましいと言える。そして、底板の下面側または底板内部にアンテナを設置するのであれば、底板を樹脂材料等を用いて作製する必要が生じてくる（電磁誘導方式のＲＦＩＤでは、タグやアンテナの極近傍に磁性体が存在していると交信の妨げとなり得る。電波通信方式のＲＦＩＤでも、タグやアンテナの極近傍にある金属面が電波を反射してマルチパスを惹起する可能性がある）。
【０００５】
しかしながら、樹脂成形品の底板にひび割れ等を発生させずにねじ穴を穿つ加工は比較的難しく、コスト増につながるきらいがある。
【０００６】
以上の問題に初めて着目してなされた本発明は、ねじを使用することなく安定的に底板を什器本体に取り付けられるようにすることをその所期の目的としている。
【課題を解決するための手段】
【０００７】
上述した課題を解決するべく、本発明では、什器の内部空間に配設すべき底板を什器本体に取り付ける取付構造として、前記什器本体に、前記底板の後端部の少なくとも一部を差し入れる凹溝を形成した後支持体と、前記底板の下向面に当接して底板を下方より支持する下支持体と、前記下向面を前記下支持部に当接させた状態で前記底板の前端部の少なくとも一部を係止する前支持体とを設けることとした。
【０００８】
このような取付構造を採用すれば、ねじを使用することなく安定的に底板を什器本体に取り付け可能であり、底板自体にねじ穴を形成せずともよくなる。並びに、ねじを締着する工程を省略できることから、什器を組み立てる際の工数削減につながる。
【０００９】
さらに、前記内部空間の側方を遮蔽する内側板の下向面を、前記底板の側端部における上向面に当接させていれば、底板の反りや撓みを抑制することができる。
【００１０】
加えて、前記内側板の下向面より下方に垂下した垂下部の内側面を、前記底板の外側面に当接させて、底板の幅方向の位置決めを行うこともできる。
【００１１】
前記前支持体を、前記底板の前端縁に当接または近接する直立部と、直立部の上端より屈曲して後方に延出する係止部とを備え、前記底板の前端部における上面側を切り欠いて形成した欠損部に前記係止部を係合させることで底板の前端部を上方より押さえるものとし、かつ、このときに係止部の上面と底板の上面とが略面一となるように構成しているならば、確実に底板を係止でき、しかも前支持体が収納物品の出し入れの妨げにならない。
【００１２】
前記前支持体を、その直立部の下端より前方に進出する接合部を備え、この接合部をねじを使用して前記什器本体に締結するものとし、かつ、着脱自在のカバー部材を前記前支持体に装着して前記ねじを隠蔽するように構成しているならば、家具としての格調が保たれる。
【００１３】
前記前支持体の係止部と前記底板の前端部とのうち一方に上下方向に突出する突条を形成し、他方に前記突条と凹凸係合する凹条を形成していれば、より頑健に底板を保定することができる。同様に、前記後支持体の凹溝と前記底板の後端部とのうち一方に上下方向に突出する突条を形成し、他方に前記突条と凹凸係合する凹条を形成してもよい。
【００１４】
前記前支持体が、その直立部の所定位置より後方に突出する引掛片を備えており、この引掛片を他の部材に係合させることで前支持体の前方への傾倒を抑止するようにすれば、不用意に底板が前支持体より外れて什器本体より離脱してしまうおそれを回避できる。
【００１５】
既に述べたように、前記底板の下面側に無線アンテナを設置すれば、収納物品に貼付されているＲＦＩＤタグとの無線交信を好適に実施することが可能となる。このときの底板は、非磁性体あるいは非金属のものとすることが望ましく、特にＡＢＳ、アクリル等の樹脂を素材として作成することが好ましい。
【発明の効果】
【００１６】
本発明によれば、ねじを使用することなく安定的に底板を什器本体に取り付けることができる。
【発明を実施するための最良の形態】
【００１７】
以下、本発明の一実施形態を、図面を参照して説明する。本実施形態の什器を、図１ないし図１０に示す。但し、本発明の構成の明確化を図るため、扉２を可動に支持する機構や所定の制御装置、配線等の図示を省略している。
【００１８】
本実施形態の什器は、基本的には、内部空間を包有する什器本体１に、フラップ動作する扉２を設けたものである。什器本体１は、例えば板金材を折曲加工してなり、その上壁１１、下壁１２、左壁１３、右壁１４及び後壁１５が内部空間を包囲する略筐体状をなす。上壁１１、下壁１２、左壁１３、右壁１４にはそれぞれ補強材を溶接等により接合している。加えて、下壁１２の補強材の後方に、直方体状の外形をなすペーパーコア１６を配置している。
【００１９】
什器本体１の内部空間は、各種物品を収納するための収納用空間Ｓ１と、制御装置（図示せず）を配置するための制御用空間Ｓ２とに区分される。即ち、前面に開口する空間領域を収納用空間Ｓ１に、その右側方に隣接する領域を制御用空間Ｓ２に、それぞれ設定している。収納用空間Ｓ１は、扉２によって開閉される。制御用空間Ｓ２は、什器本体１の操作パネル部１７によって前方から遮蔽されており、直接には収納用空間Ｓ１にのみ連通している。後壁１５における制御用空間Ｓ２の後背を遮蔽する部位は、収納用空間Ｓ１の後背を遮蔽する部位よりも前に迫り出している。これは、当該什器を既製の収納庫等の中に収めて設置した場合等に、制御装置に接続する給電コードや通信ケーブル等のコード類を支障なく配線できるようにするためである。故に、後壁１５の制御用空間Ｓ２側の部位に、コード類を挿通する配線口１５２を穿ってある。収納用空間Ｓ１と制御用空間Ｓ２との境界部位には、双方を隔てる仕切部材５を装着して、不特定者による制御用空間Ｓ２及び制御装置へのアクセスを阻む。この仕切部材５は、什器本体１に設けたロック装置６により脱抜不能にロックされる。仕切部材５及びロック装置６については、後に詳しく述べる。
【００２０】
本実施形態の什器は、収納用空間Ｓ１に収納される収納物品の出し入れを管理する機能を提供する。具体的には、収納物品に貼付されたＲＦＩＤタグと無線交信してこの物品を識別する情報を取得し、収納物品の出し入れを監視する。また、扉２を開けて物品を出し入れしようとする者のユーザ認証を実施する。ユーザ認証は、操作パネル部１７を介して暗証番号の入力を受け付け、及び／または、ＩＤカードに記憶されている認証情報を読み取ることによって行う。上記の制御用空間Ｓ２は、これらの制御処理を司る制御装置（または、回路）を配置するスペースとなる。
【００２１】
扉２は、閉止位置において収納用空間Ｓ１の前方の開口を閉止して収納物品の出し入れを不可能とする。この扉２は、什器本体１に設けた第二ロック装置７により開放操作不能にロックされる。
【００２２】
第二ロック装置７は、収納用空間Ｓ１の前縁近傍に存在し、閉止位置にある扉２を什器本体１に拘束するものである。図３に示すように、第二ロック装置７は、扉２を拘束する拘束子たる複数個のラッチ爪７１と、複数個のラッチ爪７１を一体的に動作させる動作桿７２と、動作桿７２を駆動する駆動力を出力する電動アクチュエータ７３と、ラッチ爪７１の動作時に扉２を前方に押し出す扉押出機構７４と、これらを支持する支持体７５とを主要要素とし、什器本体１の下壁１２に固定してある。動作桿７２は、幅方向に延伸する下向きチャネル形状の押出成形品で、幅方向に沿って往復動する。動作桿７２の左端部は制御用空間Ｓ２内に進入しており、右端部は電動アクチュエータ７３に連結している。電動アクチュエータ７３は、例えば非通電時にプランジャを突出させ、通電時にプランジャを吸引し没入させるソレノイドであって、そのプランジャに動作桿７２の基端部を連結する。ソレノイド７３は、制御用空間Ｓ２内に配置しているユーザ認証を司る制御装置と電気的に接続している。このソレノイド７３は、幅方向に沿ってプランジャを突没させるように位置づけてある。図示例では、ソレノイド７３に通電するとプランジャが没入して動作桿７２及びラッチ爪７１が左方に変位し、ソレノイド７３への通電を停止するとプランジャが突出して動作桿７２及びラッチ爪７１が右方に帰還する。扉押出機構７４は、電動アクチュエータ７３が動作桿７２を駆動する駆動力を利用してロッド７４１を前進させる。支持体７５は、樹脂成形材と板金材とを組み合わせてなるもので、その複数箇所に後方に突き出した支持補強部７５１を形成してある。
【００２３】
収納用空間Ｓ１を閉止する閉止位置に扉２を位置づけると、扉２の下端部の背面側に予め形成されているラッチ受け（図示せず）にラッチ爪７１が係留して扉２の開放を禁止する。また、扉２の背面がロッド７４１に押接してこれを後退させる。扉２のロックを解除して扉２を開けようとする者は、操作パネル部１７を介して暗証番号を入力し、及び／または、操作パネル部１７にＩＤカードを近づけてＩＤカードに記憶されている認証情報を読み取らせる。この暗証番号及び／または認証情報を取得した制御装置は、ユーザ認証を実施し、該当者が収納用空間Ｓ１及び収納物品にアクセスする権限を有する者であるか否かを判断する。そして、当該者が正規の権限を有する者であると判断した場合、制御装置が所定時間ソレノイド７３に電気信号を入力する。電気信号が印加されたソレノイド７３はプランジャを没入させ、動作桿７２を左方に駆動してラッチ爪７１をラッチ受けより脱出し得る位置に変位させる。これと同時に、扉押出機構７４がそのロッド７４１を前進させて扉２を若干前方に押し出して、ラッチ爪７１が扉２を再拘束してしまうことを予防する。
【００２４】
しかして、什器本体１の内部空間には、収納物品を載置するのに適した底板３を配設する。底板３は、非磁性体、非金属の材料を用いて作成した平板体である。本実施形態では、ＡＢＳ、アクリル等の樹脂を素材とした一体成形品とする。底板３の前端部の上面側には、前端縁に沿って切り欠いた欠損部３１を形成している。同様に、底板３の後端部の上面側にも、後端縁に沿って切り欠いた欠損部３２を形成している。また、底板３の右後方の隅角部を平面視方形状に切り落としているが、この切り落とし部分はちょうど什器本体１の後壁１５の制御用空間Ｓ２側の部位の内角に係合する。
【００２５】
底板３の下面側には、収納物品に貼付されたＲＦＩＤタグと無線交信を行うためのアンテナ３３を接合しておく。アンテナ３３は、例えばアルミ合金等の金属薄板を平面視ループ状をなすように形成したものである。アンテナ３３は、制御用空間Ｓ２内に配置しているＲＦＩＤリーダの制御装置と電気的に接続している。
【００２６】
図４に示すように、底板３は、什器本体１に設けた後支持体８、前支持体９によってその後端部及び前端部を支持させるようにしている。後支持体８は、例えば前向きに開口し幅方向に延伸する凹溝８１を備える樹脂部材で、什器本体１に対してねじ止めされる。具体的には、後支持体８を前後方向に貫通する複数のねじ挿通孔８２を穿つ一方、これらねじ挿通孔８２に対応するように複数個のナット１５１を什器本体１の後壁１５の下縁部位に溶接等により固着し、ねじ挿通孔８２に前方より挿通したねじをナット１５１に螺着することで後支持体８を固定している。底板３を什器本体１に取り付けるに際しては、まず、底板３の前端側を把持しながらその後端部を什器本体１に取着した後支持体８の凹溝８１に挿入し、前端側を降下させる。このとき、底板３の下向面が、什器本体１の下壁１２に予め固定されたペーパーコア１６、補強材及び第二ロック装置７の支持補強部７５１のそれぞれの上向面に当接する。詳細には、下壁１２の補強材が底板３自体の下面に当接し、ペーパーコア１６及び支持補強部７５１がアンテナ３３の下面に当接する。ペーパーコア１６、補強材及び支持補強部７５１は、底板３を下方より支持する下支持体の役割を担う。なお、本実施形態では、後支持体８の凹溝８１と底板３の後端部とのうち一方（図示例では、後支持体８の凹溝８１の下向面）に上下方向に突出する突条８１１を形成し、他方（図示例では、底板３の欠損部３２の上向面）にその突条８１１と凹凸係合する凹条３２１を形成しており、両者の凹凸係合を通じて底板３の後端部の保定を強化している。
【００２７】
底板３の下向面を上記の下支持部に当接させた状態で、前支持体９を取着して底板３の前端部の少なくとも一部を係止すれば、底板３の什器本体１への取り付けが完了する。前支持体９は、例えば、底板３の前端縁に当接または近接する直立部９１と、直立部９１の上端より屈曲して後方に延出する係止部９２と、直立部９１の下端より前方に進出する接合部９３とを備える樹脂部材で、什器本体１に対してねじ止めされる。具体的には、接合部９３を上下方向に貫通する複数のねじ挿通孔９３１を穿つ一方、これらねじ挿通孔９３１に対応するように複数のねじ孔１２１を什器本体１の下壁１２の前縁部位に形成し、ねじ挿通孔９３１に上方より挿通したねじをねじ孔１２１に螺着することで前支持体９を固定する。什器本体１に取着した前支持体９の係止部９２は、底板３の前端部における欠損部３１に係合して、底板３の前端部を上方より押さえる。欠損部３１に係合した係止部９２の上面は、底板３の上面に略面一となる。なお、本実施形態では、前支持体９の係止部９２と底板３の前端部とのうち一方（図示例では、前支持体９の係止部９２の下向面）に上下方向に突出する突条９２１を形成し、他方（図示例では、底板３の欠損部３１の上向面）にその突条と凹凸係合する凹条３１１を形成しており、両者の凹凸係合を通じて底板３の前端部の保定を強化している。また、同時に、前支持体９の直立部９１の背面より後方に突出している引掛片９４が、第二ロック装置７の支持体７５の所定部位に係合する。これにより、ねじの螺入時等に前支持体９が前方へ傾倒することが抑止される。さらに、接合部９３に上方よりカバー部材９５を装着して、前支持体９を固定しているねじやねじ挿通孔９３１等を隠蔽することが好ましい。カバー部材９５は、例えば略チャネル状をなす樹脂部材で、接合部９３に弾性係合して着脱自在に装着される。
【００２８】
底板３を什器本体１に取り付けた後、内部空間の側方を遮蔽する内側板４、５を取り付ける。内部空間の左方を遮蔽する左内側板４は、例えば板金材を折曲加工してなり、その下端部に下向面４１を形成し、かつ下向面４１の左側縁より下方に垂下した垂下部４２を設けたものである。左内側板４は、ねじ止め等の適宜の手段で什器本体１の左壁１３（または、左壁１３に接合した補強材）に取り付ける。図５に示すように、什器本体１に取り付けた左内側板４の下向面４１は、底板３の左側端部における上向面に当接する。並びに、左内側板４の垂下部４２の内側面は、底板３の左側端部における外側面に当接する。
【００２９】
内部空間の右方を遮蔽する右内側板５もまた、例えば板金材を折曲加工してなり、少なくともその下端部に下向面５１を形成してある。本実施形態にあって、右内側板５は、収納用空間Ｓ１と制御用空間Ｓ２とを隔てる仕切部材の役割を担う。右内側板５の後端部からは、複数個の舌片５２を後ろ向きに突出させる。右内側板５の前端部には、ねじ挿通孔５３を穿つ。加えて、右内側板５の右側面には、右方に突き出る係止ブラケット５４を設ける。係止ブラケット５４には、例えば平面視角孔状をなす係止孔５４１を穿つ。
【００３０】
翻って、什器本体１には、右内側板５の後端部を保持する後保持部１５３と、右内側板５を脱離不能にロックするロック装置６とを設けておく。本実施形態では、什器本体１の後壁１５における収納用空間Ｓ１と制御用空間Ｓ２との境界部位に、右内側板５の舌片５２を挿入可能なスリット１５３を形成して後保持部としている。舌片５２をスリット１５３に挿入している状態では、右内側板５の前端側が、什器本体１に対して脱着自在な脱着位置と、制御用空間Ｓ２を略閉塞しつつ什器本体１に対して脱着不能となる閉塞位置との間を揺動可能となる。
【００３１】
ロック装置６は、操作パネル部１７に取着したシリンダ錠６１を主体とする。シリンダ錠６１は、所定の鍵を使用した操作を通じて、係止体６２及び駆動体６３を制御用空間Ｓ２内で正面視同一軸周りに回動させる。係止体６２は、正面視フック形状をなし、右内側板５の係止ブラケット５４に穿たれた係止孔５４１に係合して右内側板５をロックする。駆動体６３は、正面視係止体６２に対して約９０度時計回りに偏倚した位置に存在する板片で、第二ロック装置７の動作桿７２の左端部に係合してこれを幅方向に駆動する。
【００３２】
右内側板５を什器本体１に取り付けるには、図６、図７に示すように、正面方向よりやや左方に傾斜した方向から右内側板５を内部空間に挿入し、舌片５２をスリット１５３に挿入する。しかる後、この脱着位置（図７中二点差線で示す）から右内側板５の前端側を右方に揺動操作して閉塞位置（図７中実線で示す）に位置づける。すると、什器本体１の操作パネル部１７の左側部より後方に延出している接合板１８に右内側板５の前端部が当接して重なり合う。接合板１８には、予めねじ挿通孔５３に対応する箇所にねじ孔１８１を形成してある。よって、閉塞位置に位置づけた右内側板５のねじ挿通孔５３に左方よりねじを挿通して接合板１８のねじ孔１８１に螺着すれば、右内側板５を什器本体１に固定することができる。このねじ（及び、接合板１８のねじ孔１８１）は、閉塞位置に位置づけた右内側板５の前端部を固定する固定手段となる。什器本体１に取り付けた右内側板５の下向面５１は、底板３の上向面に当接する。因みに、底板３の右側端部（及び、アンテナ３３の端子部）は、制御用空間Ｓ２内に進入している。既に述べたが、底板３の右後方の隅角部は平面視方形状に切り落としてあり、この切り落とし部分が什器本体１の後壁１５の制御用空間Ｓ２側の部位の内角に係合して位置決めとなる。
【００３３】
閉塞位置に取り付けた右内側板５を閉塞位置にロックするには、錠６１を操作して係止体６２を正面視反時計回りに回動させ、図７及び図８に示すように係止ブラケット５４の係止孔５４１に上方より係合させる。逆に、右内側板５のロックを解除するには、錠６１を操作して係止体６２を正面視時計回りに回動させ、図９及び図１０に示すように係止体６２と係止ブラケット５４との係合を解消すればよいことは言うまでもない。また、このとき、駆動体６３が正面視時計回りに回動して第二ロック装置７の動作桿７２を左方に移動させる。即ち、ソレノイド７３に通電した場合と同様に、扉２のロックが解除される。
【００３４】
本実施形態によれば、什器の内部空間に配設すべき底板３を什器本体１に取り付ける取付構造として、前記什器本体１に、前記底板３の後端部の少なくとも一部を差し入れる凹溝８１を形成した後支持体８と、前記底板３の下向面に当接して底板３を下方より支持する下支持体と、前記下向面を前記下支持部に当接させた状態で前記底板３の前端部の少なくとも一部を係止する前支持体９とを設けることとしたため、ねじを使用することなく安定的に底板３を什器本体１に取り付け可能であり、底板３自体にねじ穴を形成せずともよくなる。並びに、ねじを締着する工程を省略できることから、什器を組み立てる際の工数削減につながる。
【００３５】
さらに、前記内部空間の側方を遮蔽する内側板４、５の下向面４１、５１を、前記底板３の側端部における上向面に当接させているため、底板３の反りや撓みを抑制することができる。
【００３６】
加えて、前記内側板４の下向面４１より下方に垂下した垂下部４２の内側面を、前記底板３の外側面に当接させて、底板３の幅方向の位置決めを行うこともできる。
【００３７】
前記前支持体９を、前記底板３の前端縁に当接または近接する直立部９１と、直立部９１の上端より屈曲して後方に延出する係止部９２とを備え、前記底板３の前端部における上面側を切り欠いて形成した欠損部３１に前記係止部９２を係合させることで底板３の前端部を上方より押さえるものとし、かつ、このときに係止部９２の上面と底板３の上面とが略面一となるように構成しているため、確実に底板３を係止でき、しかも前支持体９が収納物品の出し入れの妨げにならない。
【００３８】
前記前支持体９を、その直立部９１の下端より前方に進出する接合部９３を備え、この接合部９３をねじを使用して前記什器本体１に締結するものとし、かつ、着脱自在のカバー部材９５を前記前支持体９に装着して前記ねじを隠蔽するように構成しているため、家具としての格調が保たれる。
【００３９】
前記前支持体９の係止部９２と前記底板３の前端部とのうち一方に上下方向に突出する突条９２１を形成し、他方に前記突条９２１と凹凸係合する凹条３１１を形成しているため、より頑健に底板３を保定することができる。同様に、前記後支持体８の凹溝８１と前記底板３の後端部とのうち一方に上下方向に突出する突条８１１を形成し、他方に前記突条８１１と凹凸係合する凹条３２１を形成していることも有効となっている。
【００４０】
前記前支持体９が、その直立部９１の所定位置より後方に突出する引掛片９４を備えており、この引掛片９４を什器本体１に固定された他の部材即ち支持体７５に係合させることで前支持体９の前方への傾倒を抑止するようにしたため、不用意に底板３が前支持体９より外れて什器本体１より離脱してしまうおそれを回避できる。
【００４１】
前記底板３の下面側に無線アンテナ３３を設置しており、収納物品に貼付されているＲＦＩＤタグとの無線交信を好適に実施することが可能となっている。このときの底板３は、非磁性体あるいは非金属のものとすることが望ましく、特にＡＢＳ、アクリル等の樹脂を素材として作成することが好ましい。
【００４２】
なお、本発明は以上に詳述した実施形態に限られるものではない。各部の具体的構成は上記実施形態に限られるものではなく、本発明の趣旨を逸脱しない範囲で種々変形が可能である。
【図面の簡単な説明】
【００４３】
【図１】本発明の一実施形態の什器を示す斜視図。
【図２】同要部分解斜視図。
【図３】第二ロック装置を示す要部斜視図。
【図４】底板の取付構造を示す要部側断面図。
【図５】底板の取付構造を示す要部正断面図。
【図６】仕切部材（右内側板）の脱着の様子を示す要部分解斜視図。
【図７】仕切部材の脱着の様子を示す要部平断面図。
【図８】ロック装置の動作を模式的に示す要部正面図。
【図９】ロック装置の動作を模式的に示す要部正面図。
【図１０】ロック装置の動作を模式的に示す要部平面図。
【符号の説明】
【００４４】
１…什器本体
３…底板
１６…ペーパーコア（下支持体）
７５１…支持補強部（下支持体）
８…後支持体
８１…凹溝
９…前支持体
【図１】
2006266342.tif 000003
【図２】
2006266342.tif 000004
【図３】
2006266342.tif 000005
【図４】
2006266342.tif 000006
【図５】
2006266342.tif 000007
【図６】
2006266342.tif 000008
【図７】
2006266342.tif 000009
【図８】
2006266342.tif 000010
【図９】
2006266342.tif 000011
【図１０】
2006266342.tif 000012